(57)【要約】【課題】  従来一般的に使用される芯部品内蔵の筆記具は、筆記時に、無意識に筆圧が上昇しても自覚しにくく、筆圧を意識的に自己調整し筆記、運筆のし易い状態に戻すことが出来にくく、そのため、手指、腕等の力み、緊張が解消されず筆記、運筆に支障をきたすということが有り、また、肩こり等疾病の原因の一部要因にも関するという問題もある。【解決手段】  筆記時に無意識に筆圧上昇が生じた場合、筆記具前方の軸部分が筆圧に応じた撓みを発生させて、その撓み量により筆圧を、視認、体感認識し、筆圧を自覚可能にして、筆圧を意識的に自己調整可能な状態にすることの出来る筆記具とすることにより問題の解決を図る。【選択図】図１
2005145032.tif 000002
【特許請求の範囲】
【請求項１】
筆記具の軸部品を前方軸部品と後方軸部品の二種類の別々の部品として、前方軸部品には柔軟性素材を用いたのものとし、その後方軸部品には硬質性素材を用いたものとして、前後の軸部品を堅牢に結合させ筆記具の軸部品全体として使用し、かつ、芯部品の素材に柔軟性素材、または、可塑性素材を用い、インクが充填された状態で、軸部品内に内蔵した構成を持ち、筆記時に筆記具筆先に筆圧上昇が起こった場合、その筆圧上昇に応じて、前方軸部分に撓みを生じさせ、その撓み量を視認、体感認識することで筆圧上昇が自覚し易くなり、意識的に筆圧を、希望筆圧に自己調整可能にすることが可能となることを特徴とした筆記具である。
【発明の詳細な説明】
【技術分野】
【０００１】  本発明の筆記具の筆先に筆圧の上昇が起きると、範囲Ａの長さと、軸部品４の柔軟性素材の弾性力と形状、及び、芯部品３の柔軟性素材の弾性力と形状、または、可塑性素材の硬度と形状に応じて、前方軸部分の範囲Ａに筆圧に対応した撓みが生じ、撓み量Ｂが発生し、それを視認、体感認識する事で、筆圧上昇を容易に自覚出来、筆記具にかける筆圧を意識的に自己調整し易くし、筆記、運筆の困難さを軽減させる効果を持ち、同時に筆記具の持つ位置を一定に保つと、部品５に硬質素材を用いているため筆先１にかかる筆圧の力点位置の変動が少ないため、最大撓み位置Ｃの位置変動も少なくなり筆記、運筆がし易くなる筆記具とする事が出来る。
【背景技術】
【０００２】  筆圧上昇を筆先、ペン先部品等の変化で自覚出来る筆記具として、従来一般的には、毛筆、筆ペン、万年筆等があり、または以下のような考案をなされた筆記具等もある。【０００３】  筆圧を自己調整するために、ペン先部品を揺動、または上下動させる構造の筆記具がある（例えば特許文献１、特許文献２、特許文献３、特許文献４、参照。）。【０００４】  筆記具の軸部品に被覆体等を被せたり、軸部品のグリップの形状、摩擦力を考慮することにより筆記具を持つ力を自己調整させ、筆圧を軽減させる効果を目的とした筆記具がある（例えば特許文献５、非特許文献１参照。）。【０００５】  筆記具の軸部品全体に柔軟性素材を使用して、筆圧の軽減等に効果を期待する筆記具がある（特許文献６参照。）。
【特許文献１】    特開平５−１４７３８１        広報
【特許文献２】    特開平１１−２７２４１２      広報
【特許文献３】    特開２００２−３０１８９２    広報
【特許文献４】    特開２００２−１７２８８５    広報
【特許文献５】    特開２００２−２４８８９２    広報
【特許文献６】    特開２０００−１６８２８９    広報
【非特許文献１】  登録実用新案第３０７９８０９  広報
【発明の開示】
【発明が解決しようとする課題】
【０００６】  ペン先部分の揺動、上下動等の変化で筆圧を自己調整させようとする目的を持った構造の筆記具は、無意識に生じた筆圧上昇を、狭い範囲内での変化で視認、体感認識せざるを得ず自覚出来にくいため、筆圧を意識的に自己調整するのが難しい、また、筆記具の構造も複雑である。【０００７】  軸部品の形状、素材の摩擦力を考慮するか、あるいは被覆体を軸部品に被せる筆記具の場合は、軸部品の形状、または、被覆素材の硬度、及び、摩擦力の効果で、筆記具を持つ力での筆圧の自己調整には期待が持てたとしても、筆圧は筆記具を持つ力だけでなく筆記具を手指、腕等で押しつける力にも大きく由来するため、ペン先部品、軸部品の撓みが発生しない筆記具は、無意識に発生する筆圧上昇を自覚しづらく、意識的な筆圧の自己調整が難しい。【０００８】  筆軸部品全体が柔軟性素材で構成された筆記具は、筆先１を浮かした状態で筆記具を強く持つだけで軸部品がたわんでしまい、すなわち軸部品の撓み量が筆先１の筆圧に対応していないという問題があり、また筆記具を持つ位置、押しつける強さ、握る力の強さにより軸部品の最大撓み位置Ｃ、撓み量Ｂの変動が大きく、筆記、運筆がしづらい。
【課題を解決するための手段】
【０００９】  筆記具に本発明の効果を発揮させるためには、軸部品４、芯部品３、軸部品５を必要最低部品として用い、軸部品４には、筆先１の筆圧上昇に応じた撓みを範囲Ａに生じさせ、希望する撓み量Ｂを得るために弾性力、及び、持ち易さを考慮した柔軟性素材と形状を定めて用い、また、芯部品３は、範囲Ａの弾性力に関与するため、柔軟性素材を用いる場合はその弾性力、形状を考慮し、また、可塑性素材を用いる場合は、その硬度と形状を考慮して定めて用い、軸部品５には、従来一般的な筆記具の軸部品として用いられている硬質素材等を使用し、かつ、範囲Ａより長いものとし、持ち易い形状を定めて用いる。【００１０】  軸部品４と軸部品５を圧入、接着、ネジ込み等の方法で堅牢に結合させ軸部品全体とし芯部品３を軸内に内蔵して筆記具として形成すると、筆先１に筆圧をかけると範囲Ａに筆圧上昇に応じた撓みが発生し、希望した撓み量Ｂを得ることが可能となり、筆圧の強さの視認、、体感認識が容易となり筆圧を自覚し易くして、意識的に筆圧を自己調整可能な状態にせしめることが可能となり、また、後方軸部品５に硬質素材を用いていることから筆記具の持つ位置を定めると筆先１にかかる筆圧の力点の移動が少なく最大撓み量Ｃの位置変動が少ないため筆記、運筆をし易くすることが出来る。
【発明の効果】
【００１１】  本発明の筆記具は筆記時、筆先１に筆圧上昇が起こった場合、範囲Ａに筆圧上昇に応じた撓みを発生させ、撓み量Ｂを得ることで、撓みの視認、体感認識が容易になり、筆圧の強さが自覚し易く、手指、腕等の力み、力を意識的に自己調整するこで、撓み量Ｂを減少させ希望筆圧に戻した状態での、筆記、運筆を可能にすることが出来、また、肩こり等の症状の緩和にも役立つ。【００１２】  本態性振戦症、書痙症などの症状がある場合、筆圧の強弱の自己認識、自己調整が難しく、そのため筆記、運筆に困難さが伴う場合が多いが、本発明の筆記具の範囲Ａに希望以上の撓み量Ｂが発生しないよう、意識的に手指、腕等の力み、力を調整することで希望筆圧に戻し易く、また、筆圧上昇が自覚し易くなるため筆記、運筆の不自由さの軽減、及び手指、腕等の力み、力の緩和訓練効果向上にも役立つ。【００１３】  筆先にかかる筆圧を軸の撓みにより、視認、体感認識し、自覚し易くして意識的に筆圧を自己調整することは、書字の練習成果の向上にも役立つ。【００１４】  本発明は筆記具の構造が複雑でないため、一定筆圧で使用者の希望する、異なった撓み量Ｂを発生させる本発明の筆記具を複数種類の製品として作製することが容易である。【００１５】  本発明の筆記具は軸部品５に硬質性素材を用いているため、最大撓み位置Ｃの位置変動が少ないので、筆記、運筆がし易い。
【発明を実施するための最良の形態】
【００１６】  以下、本発明の実施形態をボールペンを例として、図１、及び、図２に基づいて説明し、符号の１：筆先部品を、１：ペン先部品として記述する。【００１７】  軸部品４にはペン先部品１の筆圧上昇に対して範囲Ａが撓みそれに依存して、撓み量Ｂが定まるため、範囲Ａの幅、軸部品４の柔軟性素材の弾性力、形状を考慮して定め用いる。【００１８】  軸部品５には、通常一般の筆記具の軸部品として用いられている硬質性素材等を使用し、長さを範囲Ａより長く定め、かつ持ち易い形状を考慮して定め用いる。【００１９】  軸部品４と、軸部品５は、圧入、接着、ネジ込み等の方法を用い、堅牢に結合させる。【００２０】  芯部品３は、弾性力として軸部品４の範囲Ａの撓みに関与するため、それを考慮して柔軟素材の弾性力及び形状を定めインクが充填されたものを用いる。【００２１】  以上のように設定した各部品を使用し、図１のごとく部品１から部品６を組立、加工してボールペンとすれば、、ペン先部品１の筆圧が上昇すると図２のごとく、ペン先部品１の筆圧上昇に応じて軸部品４、芯部品３が、範囲Ａで撓みを生じ、希望する撓み量Ｂが発生し、また最大撓み量Ｃの位置変動の少ない本発明を具現化したボールペンが提供出来る。
【図面の簡単な説明】
【００２２】
【図１】本発明の実施形態を示す横断面図
【図２】撓みが発生した状態の同実施形態を示す横断面図
【符号の説明】
【００２３】１：筆先部品
２：筆先部品１、及び、前方軸部品４の固定部品
３：芯部品
４：柔軟性素材の筆記具前方軸部品
５：硬質性素材の筆記具後方軸部品
６：栓部品
Ａ：部品２の後端から後方軸部品５の先端までの範囲
Ｂ；後方軸部品５の先端から筆先部品１までの撓み量
Ｃ：最大撓み位置
【図１】
2005145032.tif 000003
【図２】
2005145032.tif 000004